(57)【要約】【解決手段】駆動用接点１０，１１を操作した際に駆動用リレーコイル２１，２５を励磁し、その励磁により駆動用自己保持接点２３，２７を動作させて電源接続状態を自己保持するとともに、開閉カーテンを開閉駆動させる駆動モータ５に駆動信号を送る。停止用接点１２を操作した際に駆動用リレーコイル２１，２５を消磁し、その消磁により駆動用自己保持接点２３，２７を動作させて電源接続状態を解除するとともに、駆動モータ５に停止信号を送る。駆動用リレーコイル２１，２５に対する電源供給状態でその駆動用リレーコイル２１，２５の励磁電流が停止用接点１２を介して電源回路１９に供給される。情報処理装置１５は電源回路１９に対する励磁電流の供給に基づき開閉カーテンの開閉駆動回数を検出する。【効果】運転に関する各種情報信号を取り出す回線や各種処理装置へ電源を供給する回線を既存部品の有効利用により簡略化して配線作業を容易にする。【選択図】図２
2007170057.tif 000002
【特許請求の範囲】
【請求項１】
接点を操作した際に駆動用リレーコイルを励磁し、その励磁により駆動用自己保持接点を動作させて電源接続状態を自己保持するとともに、開閉カーテンを開閉駆動させる駆動部に駆動信号を送り、
接点を操作した際に駆動用リレーコイルを消磁し、その消磁により駆動用自己保持接点を動作させて電源接続状態を解除するとともに、開閉カーテンを開閉駆動させる駆動部に停止信号を送り、
前記駆動用リレーコイルに対する電源供給状態でその駆動用リレーコイルの励磁電流が前記接点を介して電源回路に供給され、その電源回路を情報処理装置に接続した
ことを特徴とする電動シャッター。
【請求項２】
前記情報処理装置は、前記電源回路に対する励磁電流の供給に基づき、開閉カーテンの開閉駆動回数を検出することを特徴とする請求項１に記載の電動シャッター。
【請求項３】
前記接点は開動用接点と閉動用接点と停止用接点であることを特徴とする請求項１または請求項２に記載の電動シャッター。
【請求項４】
前記情報処理装置は、前記接点を設けたスイッチボックスに内蔵されていることを特徴とする請求項１または請求項２または請求項３に記載の電動シャッター。
【発明の詳細な説明】
【技術分野】
【０００１】
本発明は建物等の開口を開閉する電動シャッターに関するものである。
【背景技術】
【０００２】
従来の電動シャッターでは、開動運転及び閉動運転の回数など運転に関する各種情報信号を取り出すための専用回線や、各種処理装置へ電源を供給する専用回線を必要としていた。
【発明の開示】
【発明が解決しようとする課題】
【０００３】
そのため、上記専用回線を配線する作業や部品が余分に必要となり、配線作業が面倒であった。
この発明は、特に開動運転及び閉動運転の回数に関する情報信号を取り出すための回線や、各種処理装置へ電源を供給するための回線を既存部品の有効利用により簡略化して配線作業を容易にすることを目的としている。
【課題を解決するための手段】
【０００４】
後記実施形態の図面（図１〜２）の符号を援用して本発明を説明する。
請求項１の発明にかかる電動シャッターは下記のように構成されている。
接点１０，１１（駆動用接点）を操作した際に駆動用リレーコイル２１，２５を励磁し、その励磁により駆動用自己保持接点２３，２７を動作させて電源接続状態を自己保持するとともに、開閉カーテン６を開閉駆動させる駆動部５に駆動信号を送る。接点１２（停止用接点）を操作した際に駆動用リレーコイル２１，２５を消磁し、その消磁により駆動用自己保持接点２３，２７を動作させて電源接続状態を解除するとともに、開閉カーテン６を開閉駆動させる駆動部５に停止信号を送る。前記駆動用リレーコイル２１，２５に対する電源供給状態でその駆動用リレーコイル２１，２５の励磁電流が前記接点１２を介して電源回路１９に供給され、その電源回路１９を情報処理装置１５に接続した。この情報処理装置１５においては、例えば、表示部１８を情報信号の認知手段として備えている。
【０００５】
請求項１の発明では、リレー回路において電源回路１９に供給される励磁電流を情報処理装置１５の電源として有効に利用することができるとともに、その励磁電流を有効に利用して運転に関する各種情報信号を情報処理装置１５により検出することができる。従って、運転に関する各種情報信号を取り出すための専用回線を必要とせず、そのための回線を簡略化することができる。
【０００６】
請求項１の発明を前提とする請求項２の発明において、前記情報処理装置１５は、前記電源回路１９に対する励磁電流の供給に基づき、開閉カーテン６の開閉駆動回数を検出する。請求項２の発明では、リレー回路において電源回路１９に供給される励磁電流を有効に利用して開閉カーテン６の開閉駆動回数を情報処理装置１５により検出することができる。従って、開閉カーテン６の開閉駆動回数を監視して電動シャッターの寿命の目安にすることができる。
【０００７】
請求項１または請求項２の発明を前提とする請求項３の発明において、前記接点は開動用接点１０と閉動用接点１１と停止用接点１２である。請求項３の発明では、リレー回路において既存の開動用接点１０や閉動用接点１１や停止用接点１２を有効に利用することができる。
【０００８】
請求項１または請求項２または請求項３の発明を前提とする請求項４の発明において、前記情報処理装置１５、またはこの情報処理装置１５及び前記電源回路１９は、前記接点１０，１１，１２を設けたスイッチボックス８に内蔵されている。請求項４の発明では、既存のスイッチボックス８を有効利用して情報処理装置１５や電源回路１９の設置場所としているので、情報処理装置１５や電源回路１９の設置スペースを節約することができ、情報処理装置１５や電源回路１９の保守点検を行い易くするとともに、情報処理装置１５に備えられている表示部１８により各種情報信号を確実に認知することができる。
【発明の効果】
【０００９】
本発明は、運転に関する各種情報信号を取り出すための回線や、各種処理装置へ電源を供給するための回線を既存部品の有効利用により簡略化して配線作業を容易にすることができる。
【発明を実施するための最良の形態】
【００１０】
以下、本発明の一実施形態にかかる建物用電動シャッターについて図面を参照して説明する。
図１に示すように、建物の開口１は床１ａと壁Ｗの両ガイドレール２と天井１ｂとの間で形成され、この開口１上の天井１ｂに設置されたケース３内に巻取軸４が支持されているとともに、このケース３外に駆動部としての駆動モータである電動モータ５が取着されている。開閉カーテンとしてのスラットカーテン６は、その上端部で前記巻取軸４に巻かれ、前記開口１の両ガイドレール２間において吊下状態で支持されている。このスラットカーテン６は、両ガイドレール２により案内されながら、巻取軸４に巻き取られて開動向きである上昇向きＡへ移動し得るとともに、巻取軸４から引き出されて閉動向きである下降向きＢへ移動し得る。この電動モータ５に隣接して前記ケース３外には図２にも示す駆動制御ボックス７が設置されている。また、前記壁Ｗには図２にも示すスイッチボックス８が設置されている。
【００１１】
前記スイッチボックス８には操作スイッチ部９が内蔵されている。その操作スイッチ部９には、駆動用接点としての開動用常開接点（開動用接点）である自動復帰押しボタン式上昇スイッチ１０と、駆動用接点としての閉動用常開接点（閉動用接点）である自動復帰押しボタン式下降スイッチ１１と、停止用接点としての停止用常閉接点である自動復帰押しボタン式停止スイッチ１２とが設けられている。
【００１２】
前記駆動制御ボックス７には駆動回路１３とリレー回路である操作回路１４とが内蔵されている。前記電動モータ５はこの駆動回路１３に接続されている。前記上昇スイッチ１０と下降スイッチ１１と停止スイッチ１２とはそれぞれこの操作回路１４を介してこの駆動回路１３に接続されている。
【００１３】
前記スイッチボックス８にはコントローラとしてのマイコン１６とそのマイコン１６に接続された不揮発性メモリ１７及び表示部１８とを備えた情報処理装置１５が前記操作スイッチ部９とともに内蔵されている。前記上昇スイッチ１０と下降スイッチ１１と停止スイッチ１２とはそれぞれこのスイッチボックス８内の電源回路１９を介してマイコン１６に接続されている。なお、この電源回路１９以外にも主電源２０を備えている。
【００１４】
前記自動復帰押しボタン式上昇スイッチ１０を押すと、その入力回線で上昇スイッチ１０に入力電流が上昇操作信号（駆動操作信号）として流れて前記操作回路１４で駆動用リレーコイルとしての上昇用リレーコイル２１と上昇限リミットスイッチ２２とが通電され、その上昇用リレーコイル２1が励磁される。その励磁により、この操作回路１4で駆動用自己保持接点としての上昇用自己保持接点２３が閉じて上昇用リレーコイル２１の励磁が維持されるとともに、前記駆動回路１３で駆動用自己保持接点としての上昇用自己保持接点２４が閉じる。駆動回路１３は、その上昇操作信号に基づき、駆動信号としての上昇制御信号を上昇用自己保持接点２４を通して電動モータ５に送る。電動モータ５はその上昇制御信号に基づき駆動制御され、スラットカーテン６が上昇向きＡへ移動する。
【００１５】
前記自動復帰押しボタン式下降スイッチ１１を押すと、その入力回線で下降スイッチ１１に入力電流が下降操作信号（駆動操作信号）として流れて前記操作回路１４で駆動用リレーコイルとしての下降用リレーコイル２５と下降限リミットスイッチ２６とが通電され、その下降用リレーコイル２５が励磁される。その励磁により、この操作回路１４で駆動用自己保持接点としての下降用自己保持接点２７が閉じて下降用リレーコイル２５の励磁が維持されるとともに、前記駆動回路１３で駆動用自己保持接点としての下降用自己保持接点２８が閉じる。駆動回路１３は、その下降操作信号に基づき、駆動信号としての下降制御信号を下降用自己保持接点２８を通して電動モータ５に送る。電動モータ５はその下降制御信号に基づき駆動制御され、スラットカーテン６が下降向きＢへ移動する。
【００１６】
前述したスラットカーテン６の上昇状態または下降状態では、上昇用リレーコイル２１または下降用リレーコイル２５を通った励磁電流が駆動回路１３から出力回線で停止スイッチ１２を通って電源回路１９に流れる。この電源回路１９を情報処理装置１５のマイコン１６の電源としてさらに図示しない周辺機器の電源として利用することができる。
【００１７】
情報処理装置１５のマイコン１６は、前記電源回路１９に対する励磁電流の供給に基づき、その供給回数をスラットカーテン６の開動運転及び閉動運転の回数としてカウントし、その開閉駆動回数を不揮発性メモリ１７に記憶させるとともに表示部１８に表示させる。このような開閉駆動回数を監視することにより、電動シャッターの寿命の目安にすることができる。
【００１８】
前記自動復帰押しボタン式停止スイッチ１２を押すと、停止スイッチ１２で前記励磁電流が遮断され、上昇用リレーコイル２１または下降用リレーコイル２５が消磁される。その消磁により、前記操作回路１４で自己保持が解除されて上昇用自己保持接点２３または下降用自己保持接点２７が開くとともに、前記駆動回路１３で上昇用自己保持接点２４または下降用自己保持接点２８が開く。そのため、この駆動回路１３からの上昇制御信号または下降制御信号が停止信号として遮断され、電動モータ５が停止してスラットカーテン６が最上昇位置と最下降位置との間の任意位置で停止する。
【００１９】
スラットカーテン６が前記操作回路１４において最上昇位置で上昇限リミットスイッチ２２を押すか最下降位置で下降限リミットスイッチ２６を押すと、それらのリミットスイッチ２２，２６が開き、上昇用リレーコイル２１または下降用リレーコイル２５が消磁される。その消磁により、前記操作回路１４で自己保持が解除されて上昇用自己保持接点２３または下降用自己保持接点２７が開くとともに、前記駆動回路１３で上昇用自己保持接点２４または下降用自己保持接点２８が開く。そのため、この駆動回路１３からの上昇制御信号または下降制御信号が停止信号として遮断され、電動モータ５が停止してスラットカーテン６が最上昇位置または最下降位置で停止する。
【００２０】
なお、図示しないが、前記操作スイッチ部９では上昇スイッチ１０と下降スイッチ１１と停止スイッチ１２とに分かれているが、一つの押しボタン式接点を切換操作することにより上昇スイッチと下降スイッチと停止スイッチの機能を果たすものを採用してもよい。
【図面の簡単な説明】
【００２１】
【図１】本実施形態にかかる電動シャッターを概略的に示す正面図である。
【図２】上記電動シャッターの概略的電気ブロック回路図である。
【符号の説明】
【００２２】
５…駆動部としての電動モータ、６…開閉カーテンとしてのスラットカーテン、８…スイッチボックス、１０…開動用常開接点としての上昇スイッチ、１１…閉動用常開接点としての下降スイッチ、１２…停止用常閉接点としての停止スイッチ、１５…情報処理装置、１９…電源回路、２１…駆動用リレーコイルとしての上昇用リレーコイル、２３…駆動用自己保持接点としての上昇用自己保持接点、２５…駆動用リレーコイルとしての下降用リレーコイル、２７…駆動用自己保持接点としての下降用自己保持接点。
【図１】
2007170057.tif 000003
【図２】
2007170057.tif 000004